(57)【要約】【課題】ディスク検出用の操作ピンの動作範囲をプリント基板に支障をきたさない位置とすることで、プリント基板の有効面積を確保することができるディスク装置を提供すること。【解決手段】ベース本体１０と蓋体とからシャーシ外装を構成し、ベース本体１０のリア面側にはディスクの挿入によって移動するレバー１１０を設け、トラバース３０とは重ならない位置で、プリント基板１４を覆う位置にリアベース１３を設け、レバーの下面に操作ピン１１４を設け、プリント基板１４上のリア側近傍にディスク挿入検出スイッチ１１５を配置し、操作ピン１１４の動作範囲を、レバー１００の回動支点１１１よりもリア面側の位置としたことを特徴とするディスク装置。【選択図】        図２
2006079738.tif 000002
【特許請求の範囲】
【請求項１】
ベース本体と蓋体とからシャーシ外装を構成し、前記シャーシ外装のフロント面にディスクを直接挿入するディスク挿入口を形成するとともに前記シャーシ外装のリア面にコネクタを配設し、前記ディスク挿入口側にトラバースを、前記コネクタ側にプリント基板をそれぞれ配置し、スピンドルモータとピックアップと前記ピックアップを移動させる駆動手段とを前記トラバースによって保持し、前記スピンドルモータを前記ベース本体の中央部に配置し、前記ベース本体のリア面側にはディスクの挿入によって移動するレバーを設け、前記トラバースとは重ならない位置で、前記プリント基板を覆う位置にリアベースを設け、前記レバーの下面に操作ピンを設け、前記プリント基板上のリア側近傍にディスク挿入検出スイッチを配置したディスク装置であって、前記操作ピンの動作範囲を、前記レバーの回動支点よりもリア面側の位置としたことを特徴とするディスク装置。
【請求項２】
前記操作ピンの動作範囲を、前記プリント基板のリア面側端部としたことを特徴とする請求項１に記載のディスク装置。
【請求項３】
前記操作ピンの動作範囲が前記リア面にほぼ平行となるように、前記操作ピンを配置したことを特徴とする請求項１に記載のディスク装置。
【請求項４】
前記プリント基板上の前記操作ピンの動作範囲またはそれよりも広い範囲に、前記操作ピンの動作用孔を設けたことを特徴とする請求項２又は請求項３に記載のディスク装置。
【請求項５】
前記ディスク挿入検出スイッチを、スイッチレバーがリア面側に配置されるように設けたことを特徴とする請求項１に記載のディスク装置。
【発明の詳細な説明】
【技術分野】
【０００１】
本発明は、ＣＤやＤＶＤなどのディスク状の記録媒体への記録、または再生を行うディスク装置に関し、特に外部からディスクを直接挿入し、または直接排出できる、いわゆるスロットイン方式のディスク装置に関する。
【背景技術】
【０００２】
従来のディスク装置は、トレイまたはターンテーブル上にディスクを載置し、このトレイやターンテーブルを装置本体内に装着するローディング方式が多く採用されている。
しかし、このようなローディング方式では、トレイやターンテーブルが必要な分、ディスク装置本体を薄型化するには限度がある。
一方、スロットイン方式のディスク装置としては、ディスク面に搬送ローラを当接させてディスクを引き込む方式が提案されている（例えば特許文献１）。
また、薄型化と小型化を図ることができるスロットイン方式のディスク装置として、ディスク挿入口側にトラバースを、コネクタ側にプリント基板をそれぞれ配置し、スピンドルモータがベース本体の中央部に位置し、ピックアップの往復動範囲がスピンドルモータよりもディスク挿入口側に位置し、ピックアップの往復移動方向がディスクの挿入方向と異なるようにトラバースを配設して動作させ、スピンドルモータをベース本体側または蓋体側に近接させる装置がある。
【特許文献１】特開平７−２２０３５３号公報
【特許文献２】特開２００２−３５２４９８号公報
【発明の開示】
【発明が解決しようとする課題】
【０００３】
しかし、例えば特許文献１で提案されているようなスロットイン方式では、ディスク直径より長い搬送ローラを用いるために、装置幅を広くしなければならず、さらにこの搬送ローラによって厚みも増してしまう。
従って、このようなスロットイン方式のディスク装置では、ディスク装置本体の薄型化や小型化を図ることは困難である。
一方、特許文献２における装置では、薄型化と小型化を図ることができるが、更に薄型化と小型化を図るためには、プリント基板を小さくする必要がある。
【０００４】
そこで本発明は、ディスク検出用の操作ピンの動作範囲をプリント基板に支障をきたさない位置とすることで、プリント基板の有効面積を確保することができるディスク装置を提供することを目的とする。
【課題を解決するための手段】
【０００５】
請求項１記載の本発明のディスク装置は、ベース本体と蓋体とからシャーシ外装を構成し、前記シャーシ外装のフロント面にディスクを直接挿入するディスク挿入口を形成するとともに前記シャーシ外装のリア面にコネクタを配設し、前記ディスク挿入口側にトラバースを、前記コネクタ側にプリント基板をそれぞれ配置し、スピンドルモータとピックアップと前記ピックアップを移動させる駆動手段とを前記トラバースによって保持し、前記スピンドルモータを前記ベース本体の中央部に配置し、前記ベース本体のリア面側にはディスクの挿入によって移動するレバーを設け、前記トラバースとは重ならない位置で、前記プリント基板を覆う位置にリアベースを設け、前記レバーの下面に操作ピンを設け、前記プリント基板上のリア側近傍にディスク挿入検出スイッチを配置したディスク装置であって、前記操作ピンの動作範囲を、前記レバーの回動支点よりもリア面側の位置としたことを特徴とする。
請求項２記載の本発明は、請求項１に記載のディスク装置において、前記操作ピンの動作範囲を、前記プリント基板のリア面側端部としたことを特徴とする。
請求項３記載の本発明は、請求項１に記載のディスク装置において、前記操作ピンの動作範囲が前記リア面にほぼ平行となるように、前記操作ピンを配置したことを特徴とする。
請求項４記載の本発明は、請求項２又は請求項３に記載のディスク装置において、前記プリント基板上の前記操作ピンの動作範囲またはそれよりも広い範囲に、前記操作ピンの動作用孔を設けたことを特徴とする。
請求項５記載の本発明は、請求項１に記載のディスク装置において、前記ディスク挿入検出スイッチを、スイッチレバーがリア面側に配置されるように設けたことを特徴とする。
【発明の効果】
【０００６】
本発明によれば、プリント基板の有効面積を確保することができ、装置本体の薄型化と小型化を図ることができる。
【発明を実施するための最良の形態】
【０００７】
本発明の第１の実施の形態によるディスク装置は、操作ピンの動作範囲を、レバーの回動支点よりもリア面側の位置としたものである。本実施の形態によれば、プリント基板をリア面側に近接させて配置することができる。
本発明の第２の実施の形態は、第１の実施の形態によるディスク装置において、操作ピンの動作範囲を、プリント基板のリア面側端部としたものである。本実施の形態によれば、プリント基板をリア面側に近接させることができる。
本発明の第３の実施の形態は、第１の実施の形態によるディスク装置において、操作ピンの動作範囲を、リア面にほぼ平行となるように配置したものである。本実施の形態によれば、プリント基板をリア面側に近接させることができる。
本発明の第４の実施の形態は、第２又は第３の実施の形態によるディスク装置において、プリント基板上の操作ピンの動作範囲またはそれよりも広い範囲に、操作ピンの動作用孔を設けたものである。本実施の形態によれば、プリント基板に設ける動作用孔は、プリント基板の長手方向となるために、プリント基板上の配線の制約を少なくできる。
本発明の第５の実施の形態は、第１の実施の形態によるディスク装置において、ディスク挿入検出スイッチを、スイッチレバーがリア面側に配置されるように設けたものである。本実施の形態によれば、スイッチレバーをリア面側に配置することで、操作ピンをリア面側に近接させることができる。
【実施例】
【０００８】
以下本発明の一実施例によるディスク装置について説明する。
図１は本実施例によるディスク装置のベース本体の要部平面図、図２はディスクが挿入されていない状態を示す同ディスク装置の要部拡大平面図、図３はディスクが挿入されたことを検出する状態を示す同ディスク装置の要部拡大平面図、図４は他の実施例によるディスクが挿入されていない状態を示す同ディスク装置の要部拡大平面図、図５はディスクが挿入されたことを検出する状態を示す同ディスク装置の要部拡大平面図である。
本実施例によるディスク装置は、ベース本体と蓋体とからシャーシ外装が構成され、このシャーシ外装のフロント面にベゼルが装着される。また本実施例によるディスク装置は、図３に示すベゼルに設けたディスク挿入口からディスクを直接挿入するスロットイン方式のディスク装置である。
【０００９】
図１に示すように、ディスクへの記録再生機能やディスクのローディング機能を行う各部品は、ベース本体１０に装着される。
ベース本体１０には、深底部２１０と浅底部３１０が形成され、浅底部３１０によってフロント面からリア面に至るウイング部が形成されている。
ベース本体１０のフロント側にはディスクを直接挿入するディスク挿入口１１を形成し、ベース本体１０のリア面の端部にはコネクタ１２を配設している。ベース本体１０のディスク挿入口１１側にはトラバース３０が配置され、ベース本体１０のコネクタ１２側にはリアベース１３が配置されている。トラバース３０とリアベース１３とは互いが重ならないように配置されている。リアベース１３のベース本体１０面側にはプリント基板１４が設けられている。
【００１０】
トラバース３０は、スピンドルモータ３１とピックアップ３２とピックアップ３２を移動させる駆動手段３３とを保持している。スピンドルモータ３１はトラバース３０の一端側に設けられ、ピックアップ３２はトラバース３０の一端側から他端側までを移動可能に設けられている。またピックアップ３２は停止時にはトラバース３０の他端側に配置される。駆動手段３３は、駆動モータと、ピックアップ３２を摺動させる一対のレールと、駆動モータの駆動をピックアップ３２に伝達する歯車機構とを有し、一対のレールはトラバース３０の一端側と他端側とを連接するように両側部に配置されている。駆動モータはディスク挿入口１１側のレールの外方に、駆動軸がレールと平行になるように配置されている。歯車機構は、この駆動モータとディスク挿入口１１側のレールとの間の空間に配置されている。
【００１１】
トラバース３０には、スピンドルモータ３１がベース本体１０の中央部に位置し、またピックアップ３２の往復動範囲がスピンドルモータ３１よりもディスク挿入口１１側に位置し、またピックアップ３２の往復移動方向がディスクの挿入方向と異なるように配設されている。ここで、ピックアップ３２の往復移動方向とディスクの挿入方向とは、４０〜４５度の角度としている。
トラバース３０は、一対のインシュレータ３４Ａ、３４Ｂによってベース本体１０に支持されている。
一対のインシュレータ３４Ａ、３４Ｂは、スピンドルモータ３１の位置よりもピックアップ３２の静止位置側に配設し、ピックアップ３２の静止位置よりもディスク挿入口１１側の位置に配設することが好ましい。本実施例では、インシュレータ３４Ａはディスク挿入口１１の内側近傍の一端側に、インシュレータ３４Ｂはディスク挿入口１１の内側近傍の中央部に設けている。インシュレータ３４Ａ、３４Ｂは、弾性材料からなるダンパー機構を備えている。インシュレータ３４Ａ、３４Ｂは、このダンパー機構によって、トラバース３０がベース本体１０から離間する方向に変位することができる。
【００１２】
トラバース３０のベース本体１０側の面には、リブ３５を設けている。このリブ３５は、ディスク挿入口１１と反対のレールの外方であって、ピックアップ３２の静止位置側に設けている。またこのリブ３５は、トラバース３０をベース本体１０側に近接させた時に、ベース本体１０に当接することで、インシュレータ３４Ａ、３４Ｂの位置でトラバース３０をベース本体１０から離間する方向に変位させるに十分な高さを有している。なお、本実施例では、リブ３５をトラバース３０のベース本体１０側の面に設けた場合で説明したが、ベース本体１０のトラバース３０側の面に設けてもよい。またトラバース３０のベース本体１０側の面と、ベース本体１０のトラバース３０側の面の双方に設けてもよい。また本実施例ではトラバース３０のベース本体１０側への近接動作を利用して、インシュレータ３４Ａ、３４Ｂ側のトラバース３０を上昇させる構成としたが、インシュレータ３４Ａ、３４Ｂの位置でのトラバース３０の高さを変更する他の手段、例えばインシュレータ３４Ａ、３４Ｂの高さを変更する手段によって実現することもできる。
なお、トラバース３０は、インシュレータ３４Ａ、３４Ｂを支点として、スピンドルモータ３１をベース本体１０と近接離間させるように動作する。
【００１３】
以下に、このトラバース３０を動作させるカム機構を備えたメインスライダー４０とサブスライダー５０について説明する。
トラバース３０を変位させるカム機構は、メインスライダー４０とサブスライダー５０にそれぞれ設けている。ここで、メインスライダー４０とサブスライダー５０とは、スピンドルモータ３１の側方に位置するように配設されている。メインスライダー４０は、その一端がベース本体１０のフロント面側、その他端がベース本体１０のリア面側となる方向に配設されている。また、サブスライダー５０は、トラバース３０とリアベース１３との間に、メインスライダー４０と直交する方向に配設されている。
トラバース３０を変位させるカム機構は、第１のカム機構４１と第２のカム機構５１によって構成される。第１のカム機構４１は、メインスライダー４０のスピンドルモータ３１側の面に、第２のカム機構５１は、サブスライダー５０のスピンドルモータ３１側の面にそれぞれ設けられている。
なお、メインスライダー４０とトラバース３０との間にはベース部材１５が設けられ、サブスライダー５０とトラバース３０との間にはベース部材１６が設けられている。ここでベース部材１５とベース部材１６はベース本体１０に固定され、ベース部材１５に設けた縦溝によってトラバース３０のカムピン３６を位置規制し、ベース部材１６に設けた縦溝によってトラバース３０のカムピン３７を位置規制している。
ここで、ベース部材１６とサブスライダー５０とは、第３のカム機構（図１では図示せず）によって連結している。そしてこの第３のカム機構は、第２のカム機構５１によってトラバース３０をベース本体１０に対して離間する方向に移動させる時に、サブスライダー５０をベース本体１０に対して離間する方向に移動させる機能を備えている。
【００１４】
メインスライダー４０の一端側にはローディングモータ６０が配設されている。ローディングモータ６０の駆動軸６１とメインスライダー４０の一端側とは歯車機構を介して連結されている。なお、ローディングモータ６０の駆動軸６１には歯車機構を構成するウオームギア６２が設けられている。
ローディングモータ６０は、その本体がディスク挿入口１１の中央部に、駆動軸６１がディスク挿入口１１の端部側に、それぞれが位置するように配設されている。
そして、ローディングモータ６０は、その駆動軸６１側がディスク挿入口１１に挿入されるディスクに近接するように傾けてあり、ローディングモータ６０本体のディスク挿入口１１側がディスクに近接するように傾けてある。すなわち、ローディングモータ６０は、図１に示す「Ａ」の位置が、最も蓋体側に突出した状態となるように設けられている。このようにローディングモータ６０を傾斜させて設置することで、ディスクの取り出し時にディスク面に傾きが生じたとしても、ディスク外周端がローディングモータ６０本体の「Ａ」の箇所にあたることになり、ディスク内周面がローディングモータ６０本体にあたることを防止することができる。なお、ローディングモータ６０は、その駆動軸６１側がディスク挿入口１１に挿入されるディスクに近接するように傾けるか、またはローディングモータ６０本体のディスク挿入口１１側がディスクに近接するように傾けるか、いずれか一方の傾きでも効果はある。
【００１５】
このローディングモータ６０の駆動によってメインスライダー４０を長手方向に摺動させることができる。またメインスライダー４０は、カムレバー７０によってサブスライダー５０と連結している。
カムレバー７０は回動支点７１を有し、ピン７２及びピン７３でメインスライダー４０の上面に設けたカム溝と係合し、ピン７４でサブスライダー５０の上面に設けたカム溝と係合している。
このカムレバー７０は、メインスライダー４０の第１のカム機構４１によってトラバース３０を変位させるタイミングで、サブスライダー５０を移動させ、サブスライダー５０の移動によって第２のカム機構５１を動作させてトラバース３０を変位させる機能を有する。
【００１６】
以上説明した、コネクタ１２、トラバース３０、リアベース１３、プリント基板１４、インシュレータ３４Ａ、３４Ｂ、メインスライダー４０、サブスライダー５０、ベース部材１５、ベース部材１６、及びローディングモータ６０は、ベース本体１０の深底部２１０に設けられ、これらの部材と蓋体との間に、ディスク挿入空間を形成する。
【００１７】
次に、ディスクを挿入する時にディスクを支持するガイド部材と、ディスクを挿入する時に動作するレバー部材について説明する。
深底部２１０のディスク挿入口１１近傍の一端側には、所定長さの第１のディスクガイド１７が設けられている。この第１のディスクガイド１７は、ディスク挿入側から見た断面が、「コ」の字状の溝を有している。この溝によってディスクは支持される。
一方、ディスク挿入口１１の他端側のベース本体１０内には、引き込みレバー８０が設けられ、この引き込みレバー８０の可動側端部に第２のディスクガイド８１を備えている。第２のディスクガイド８１は、円筒状のローラで構成され、引き込みレバー８０の可動側端部に回動自在に設けられている。また、第２のディスクガイド８１のローラ外周には溝が形成され、この溝によってディスクは支持される。
引き込みレバー８０は、可動側端部が固定側端部よりもディスク挿入口１１側で動作するように配置され、固定側端部に回動支点８２を有している。
また、引き込みレバー８０の裏面（ベース本体１０側の面）の可動側端部と固定側端部との間には長溝８３が設けられている。一方、引き込みレバー８０の表面の可動側端部と固定側端部との間には所定長さの第３のディスクガイド８４が設けられている。
【００１８】
引き込みレバー８０は、サブレバー９０によって動作する。
サブレバー９０は、可動側の一端に凸部９１を備え、他端側に回動支点９２を備えている。サブレバー９０の凸部９１は、引き込みレバー８０の長溝８３内を摺動する。また、サブレバー９０の回動支点９２は、メインスライダー４０上に位置している。なお、回動支点９２は、メインスライダー４０とは連動せず、ベース本体１０にベース部材１５を介して固定されている。またサブレバー９０の回動支点９２よりも凸部９１側の下面には、ピン９３を備えている。このピン９３は、メインスライダー４０の上面に設けられたカム溝内を摺動する。従って、サブレバー９０は、メインスライダー４０の移動にともなって角度が変更され、このサブレバー９０の角度の変更によって引き込みレバー８０の旋回角度を変更する。すなわち、サブレバー９０の動作によって、引き込みレバー８０の第２のディスクガイド８１がスピンドルモータ３１に近接離間するように動作する。なお、引き込みレバー８０の可動側端部に近い側の長溝８３の端部には、サブレバー９０の旋回方向に延びる溝８３Ａが設けられている。この溝８３Ａによって、第２のディスクガイド８１がディスクを最も引き込んだ時に、サブレバー９０の旋回角度にばらつきが発生しても、引き込みレバー８０の旋回角度にはばらつきが発生せず、ディスク引き込み量を安定させることができる。
【００１９】
ベース本体１０の引き込みレバー８０と異なる側部には、排出レバー１００が設けられている。この排出レバー１００の一端側の可動側端部にはガイド１０１が設けられている。また、排出レバー１００の他端側には、回動支点１０２が設けられている。また、排出レバー１００の可動側端部には、ガイド１０１よりもリア面側に当接部１０３が設けられている。また、排出レバー１００には、弾性体１０４が設けられている。この弾性体１０４の一端は排出レバー１００に固定されており、他端はリアベース１３に固定されている。当接部１０３は、弾性体１０４によってリア面側に引き込まれた場合に、リアベース１３の当接部１３Ａと当接する。また排出レバー１００は、弾性体１０４の弾性力によってディスク挿入口１１側に引き出される。なお、排出レバー１００は、リンクアーム１０５と排出スライダー１０６を介してメインスライダー４０の動きと連動して動作する。ここでリンクアーム１０５は、メインスライダー４０と排出スライダー１０６とを連接し、排出レバー１００はカムピンによって排出スライダー１０６のカム溝と係合している。
ベース本体１０のリア面側には規制レバー１１０が設けられている。この規制レバー１１０はリア面側端部を回動支点１１１とし、可動側端部にガイド１１２を備えている。この規制レバー１１０は、弾性体１１３によってガイド１１２側が常にフロント側に突出するように付勢されている。また、この規制レバー１１０の下面には、操作ピン１１４を設けてあり、この操作ピン１１４は、リアベース１３のリア面側に配置したディスク挿入検出スイッチ１１５を動作させる。
また、排出レバー１００と同じ側のベース本体１０の側部には、ガイドレバー１８０が設けられている。ガイドレバー１８０は、リア面側を回動支点１８１とし、可動側にガイド１８２を備えている。このガイドレバー１８０は、弾性体１８３によってガイド１８２側がディスク側に突出するように付勢されている。また、このガイドレバー１８０は、リンクアーム１０５と排出スライダー１０６を介してメインスライダー４０と連動し、このメインスライダー４０の動きに応じて、ガイド１８２側がディスクから離間するように動作する。
【００２０】
またスピンドルモータ３１の近傍のトラバース３０には開口部を備え、この開口部には、ベース本体１０から蓋体に向かって突出したピン１８を設けている。このピン１８は、トラバース３０が最もベース本体１０側に移動した状態では、スピンドルモータ３１のハブよりも蓋体側に突出する高さであり、またトラバース３０がスピンドルモータ３１の駆動状態（再生録音可能な作動状態）では、スピンドルモータ３１のハブよりもベース本体１０側に引き込んだ高さである。ピン１８は、スピンドルモータ３１に装着されるディスクの中心部の非記録面に対応する位置であって、スピンドルモータ３１よりもインシュレータ３４から離れた位置に設けることが好ましい。
【００２１】
また、ベース本体１０のフロント側には、フロントガイダー２１とトラバースフェルト２２が設けられている。フロントガイダー２１は、ディスク挿入口１１の一端側であって、引き込みレバー８０とディスク挿入口１１との間に配置されている。またこのフロントガイダー２１は、ローディングモータ６０や歯車機構、メインスライダー４０の一部を覆うように、これらの部材よりも蓋体側に設けられている。このフロントガイダー２１は、挿入されるディスクの記録面全面が接触しないように周囲にテーパーが設けられ、表面がウレタンフッ素コーティングされている。また、フロントガイダー２１は、深底部２１０とビス２１Ａによって締結するとともに浅底部３１０とビス２１Ｂによって締結している。このように、フロントガイダー２１を、深底部２１０及び浅底部３１０とビス２１Ａ、２１Ｂによって締結することで、浅底部３１０の変形を防止することができる。
一方、トラバースフェルト２２は、ディスク挿入口１１の他端側であって、トラバース３０のディスク挿入口１１側を一部覆うように、トラバース３０よりも蓋体側に設けられている。このトラバースフェルト２２は、挿入されるディスクの記録面全面が接触しないように中央部が凸状になっており、フェルト材で構成されている。フロントガイダー２１とトラバースフェルト２２は、第１のディスクガイド１７や第２のディスクガイド８１では十分にディスクを支持できない場合に、ディスクの面方向への傾きによって記録面に傷が付くのを防止することができる。なお、フロントガイダー２１をフェルト材で構成し、トラバースフェルト２２をウレタンフッ素コーティングしたものを用いてもよい。
【００２２】
次に、図２及び図３を用いてディスクの検出動作について説明する。
まず、ディスクが挿入されていない状態では、図２に示す状態にある。すなわち、規制レバー１１０は、ガイド１１２がフロント側に位置し、操作ピン１１４はプリント基板１３よりもリア面側に位置している。ディスクが所定位置まで挿入されると、操作ピン１１４は、プリント基板１４の長手方向に動作し、ディスク挿入検出スイッチ１１５のスイッチレバー１１６を操作してディスクの挿入を検出する。ここで、操作ピン１１４の動作範囲は、規制レバー１１０の回動支点１１１よりもリア面側の位置で、その動作範囲がベース本体１０のリア面にほぼ平行となるように規制レバー１１０に設けられている。また、ディスク挿入検出スイッチ１１５を、スイッチレバー１１６がベース本体１０のリア面側に配置されるように設けている。このように、スイッチレバー１１６をリア面側に配置することで、操作ピン１１４をリア面側に近接させることができる。
【００２３】
次に図４及び図５を用いて他の実施例について説明する。
本実施例では、プリント基板１４をベース本体１０のリア面に近接させて設けている。また、プリント基板１４には、操作ピン１１４の動作範囲またはそれよりも広い範囲に動作用孔１４Ａを設けている。操作ピン１１４は、この動作用孔１４Ａ内に配置されている。また、操作ピン１１４は、その動作範囲がベース本体１０のリア面にほぼ平行となるように配置することが好ましい。従って、動作用孔１４Ａについても、ベース本体１０のリア面にほぼ平行となるようにプリント基板１４に設けている。また、ディスク挿入検出スイッチ１１５は、スイッチレバー１１６がベース本体１０のリア面側に配置されるように設けている。
本実施例では、ディスクが挿入されていない状態では、操作ピン１１４がディスク挿入検出スイッチ１１５のスイッチレバー１１６を押した状態にあり、規制レバー１１０が動作することでディスク挿入検出スイッチ１１５のスイッチレバー１１６は開放される構成となっている。
本実施例によれば、プリント基板１４をベース本体１０のリア面側に近接させることができるとともに、プリント基板１４に設ける動作用孔１４Ａは、プリント基板１４の長手方向となるために、プリント基板１４上の配線の制約を少なくすることができる。
【産業上の利用可能性】
【００２４】
本発明のディスク装置は、表示手段と入力手段と演算処理手段などを一体化した、いわゆるノート型パソコン本体に内蔵されるディスク装置として特に有用である。
【図面の簡単な説明】
【００２５】
【図１】本実施例によるディスク装置のベース本体の要部平面図
【図２】ディスクが挿入されていない状態を示す同ディスク装置の要部拡大平面図
【図３】ディスクが挿入されたことを検出する状態を示す同ディスク装置の要部拡大平面図
【図４】他の実施例によるディスクが挿入されていない状態を示す同ディスク装置の要部拡大平面図
【図５】ディスクが挿入されたことを検出する状態を示す同ディスク装置の要部拡大平面図
【符号の説明】
【００２６】
１０    ベース本体
１１    ディスク挿入口
１１４    操作ピン
１１５    ディスク挿入検出スイッチ
１１６    スイッチレバー
【図１】
2006079738.tif 000003
【図２】
2006079738.tif 000004
【図３】
2006079738.tif 000005
【図４】
2006079738.tif 000006
【図５】
2006079738.tif 000007